(57)【特許請求の範囲】
【請求項１】
外枠組みと、この外枠組みの内側に形成される開口部に開閉自在に配置された開き戸とを有する開き戸装置において、
前記外枠組みを形成する複数の枠部材のうち、前記開き戸の回動中心部側の直線形状又は略直線形状の端面と対向する枠部材が、この端面と対面する第１面と、前記開き戸の閉じ側の表面と対面する第２面とを備えているとともに、前記開き戸の回動中心部側の端面の近傍の開き戸内側に設けられた開き戸回動中心部が、この開き戸の厚さ方向中央部から開き戸の開き側の表面側へ偏芯し、かつ、前記第１面と対面する前記端面と、前記第２面と対面する前記閉じ側の表面とに跨る切欠部が前記開き戸に形成され、
この切欠部が直線的又は略直線的に延びるものになっているとともに、この切欠部の全体が、前記端面における前記開き側の角部が前記開き戸回動中心部を中心に回動したときに描く円弧上又はその内側に位置して形成され、
前記第２面には凹部が形成され、この凹部には、前記開き戸が閉じられたときにこの開き戸の前記閉じ側の表面と前記切欠部のうちの少なくとも一方に接触する気密部材が配置され、
前記開き戸回動中心部が、前記切欠部が形成されていないとしたときの前記端面の閉じ側の角部を通る線であって、前記端面と前記閉じ側の表面とに対してそれぞれ４５度の角度をなす二等分線よりも前記閉じ側の表面に近い位置に配置され、
前記第１面と、この第１面を備えている前記枠部材の室外側表面とが直角又は略直角をなしていることを特徴とする開き戸装置。
【請求項２】
請求項１に記載の開き戸装置において、前記開き戸が閉じられているときにおける前記端面から前記第１面までの距離が、前記開き戸の前記閉じ側の表面から前記第２面までの距離よりも小さくなっていることを特徴とする開き戸装置。
【請求項３】
請求項１又は２に記載の開き戸装置において、前記気密部材は前記凹部に収納された本体部と、この本体部から板状に延びるリップ部とを有し、閉じられているときにおける前記開き戸の閉じ側の表面に接触するこのリップ部は、前記本体部との接続部である基端部を中心に揺動自在であることを特徴とする開き戸装置。
【請求項４】
請求項１〜３のいずれかに記載の開き戸装置において、前記気密部材は、閉じ位置から開き始めた後の前記開き戸と非接触となるとともに、開き限界角度に達する前の前記開き戸に再接触することを特徴とする開き戸装置。
【請求項５】
請求項４に記載の開き戸装置において、前記気密部材が開き戸に再接触するときにおける前記開き戸の閉じ位置からの開き角度は、略９０度であることを特徴とする開き戸装置。
【請求項６】
請求項４又は５に記載の開き戸装置において、前記開き戸は、前記開き限界角度に近づいたときに前記気密部材から離れることを特徴とする開き戸装置。
【請求項７】
請求項１〜６のいずれかに記載の開き戸装置において、前記外枠組みを前記枠部材と共に形成していてこの枠部材と左右反対側に配置されている枠部材における前記開き戸の前記閉じ側の表面と対面する面には凹部が形成され、この凹部には気密部材が配置され、この気密部材と前記気密部材とは左右対称の形状となっていることを特徴とする開き戸装置。
【発明の詳細な説明】
【０００１】
【発明の属する技術分野】
本発明は、外枠組みの内側に形成された開口部に開き戸が配置された開き戸装置に係り、例えば、外壁に設置される玄関ドア等の室外ドアや、間仕切り壁等の室内壁に設置される室内ドア等に利用できるものである。
【０００２】
【背景技術】
図７及び図８は、集合住宅のための玄関ドアとなっている従来の開き戸装置を示す。
【０００３】
図７の開き戸装置７１は、枠部材である縦枠７２を含んで形成されている外枠組み７３と、この外枠組み７３の内側に形成されている開口部に開閉自在に配置された開き戸７４とを含んで構成されている。開き戸７４は縦枠７２にヒンジ７５を介して結合され、開き戸７４をヒンジ７５の回動中心部７５Ａを中心に回動させることにより、開き戸７４は上記開口部を開閉する。
【０００４】
図８の開き戸装置８１も、枠部材である縦枠８２を含んで形成されている外枠組み８３と、この外枠組み８３の内側に形成されている開口部に開閉自在に配置された開き戸８４とを含んで構成されている。開き戸８４は、回動中心部側の端面すなわち吊り元側の端面８４Ａの近傍の開き戸内側において、外枠組み８３の図示しない上枠、下枠に設けた回動中心軸８５で吊り下げ支持され、開き戸８４の厚さ方向中央部に配置されたこの回動中心軸８５を中心に開き戸８４を回動させることにより、上記開口部が開閉される。
【０００５】
【発明が解決しようとする課題】
図７の従来例によると、ヒンジ７５の回動中心部７５Ａが開き戸７４の外側にあるため、開き戸７４の開き角度を大きくすることができるが、ヒンジ７５が開き戸７４及び縦枠７２から突出した状態になっているため、開き戸装置７１の周囲に玄関や開き戸装置７１、さらには建物等に関係した部材、付設物を配置することは困難であった。
【０００６】
また、図８の従来例では、開き戸８４の回動中心軸８５は開き戸８４の厚さ内に存在するため図７の従来例のような問題は生じないが、その一方で開き戸８４の開き角度が小さくなってしまい、また、この開き角度を大きくしながら開き戸８４と縦枠８２との間の指詰め防止を図ろうとすると、開き戸８４の回動中心部側の端面８４Ａと対面する縦枠８２の面８２Ａの端部に、縦枠８２の一部品として突枠８６を配置しなければならない。この突枠８６の先端は鋭角の角度となるため、板金の折り曲げ加工で突枠８６を製造する際、板金を直角に折り曲げた後、この板金をセットし直して再度折り曲げ加工を行わなければならず、このため、外枠組み８３に関する加工、製作が面倒になるという問題があった。さらに、図示のように開き戸８４の端面８４Ａを曲面とした場合には、開き戸８４を構成する部材の加工、製作も面倒になるという問題があった。
【０００７】
本発明の目的は、開き戸の回動中心部を開き戸から突出した位置に設けることなく開き戸の大きな開き角度を確保でき、また、外枠組みの加工、製作を容易化できるようになる開き戸装置を提供するところにある。
【０００８】
【課題を解決するための手段】
本発明に係る開き戸装置は、外枠組みと、この外枠組みの内側に形成される開口部に開閉自在に配置された開き戸とを有する開き戸装置において、前記外枠組みを形成する複数の枠部材のうち、前記開き戸の回動中心部側の端面と対向する枠部材が、この端面と対面する第１面と、前記開き戸の閉じ側の表面と対面する第２面とを備えているとともに、前記開き戸の回動中心部側の端面の近傍の開き戸内側に設けられた開き戸回動中心部が、この開き戸の厚さ方向中央部から開き戸の開き側の表面側へ偏芯し、かつ、前記第１面と対面する前記端面と、前記第２面と対面する前記閉じ側の表面とに跨る切欠部が前記開き戸に形成されていることを特徴とするものである。
【０００９】
この開き戸装置によると、開き戸の回動中心部は開き戸の厚さ方向中央部から開き戸の開き側の表面側へ偏芯しているため、その分だけ開き戸の開き角度を大きくできる。また、開き戸の回動中心部側の端面と、この端面と対面する前記枠部材の第１端面との間の距離を、開き戸回動中心部を偏芯させない場合よりも小さくできるため、これらの間の指詰め防止用の部材を製造する必要がなくなり、このため、外枠組みに関する加工、製作の容易化を図ることができるようになる。
【００１０】
さらに、開き戸には、前記枠部材の第１面と対面する端面と、第２面と対面する閉じ側の表面とに跨る切欠部が形成されているため、開き戸を開き操作したときに、開き戸が枠部材の第２面と干渉するのをなくすことができ、開き戸を所定角度まで開くことができるようになる。
【００１１】
また、本発明に係る開き戸装置において、開き戸の前記端面と前記切欠部とを直線形状又は略直線形状で形成した場合には、開き戸を構成する部材の加工、製作を容易化できるという効果を得られる。
【００１２】
開き戸に前述した切欠部を設ける場合に、前記回動中心部を中心に開き戸が回動したときに開き戸が前記枠部材の第２面と干渉しない限りにおいて、この切欠部の全体又は一部が、開き戸の前記端面における開き側の角部が前記回動中心部を中心に回動したときに描く円弧の外側に位置して形成されていてもよいが、切欠部の全体が、前記開き戸の端面における開き側の角部が前記回動中心部を中心に回動したときに描く円弧上又はその内側に位置して形成されているようにすることが好ましい。
【００１３】
後者のようにすると、開き戸の閉じ側の表面と枠部材の第２面との間の距離を前者の場合よりも短くすることが可能になるため、これらの間での指詰め防止を達成できるようになる。
【００１４】
また、枠部材の第２面に凹部を形成し、この凹部に、開き戸が閉じられたときにこの開き戸の閉じ側の表面と前記切欠部のうちの少なくとも一方に接触する気密部材を配置することが好ましい。
【００１５】
このようにすると、開き戸で閉じられたときにおける前記開口部の気密性を気密部材によって確保できるようになる。
【００１６】
この気密部材は任意な形状のものでよく、例えば、前記凹部に収納された本体部と、この本体部から板状に延びるリップ部とを有し、閉じられているときにおける開き戸の閉じ側の表面に接触するこのリップ部が、本体部との接続部である基端部を中心に揺動自在となったものでもよく、また、断面四角形であって、前記凹部に殆どの部分が収納され、凹部から突出した一部が開き戸の閉じ側の表面に接触するものでもよい。
【００１７】
しかし、気密部材を前者のものとした場合には、リップ部が基端部を中心に揺動することにより開き戸との良好な接触性が得られ、気密部材による高度の気密性を確保できるようになるため、前者の気密部材を採用することが好ましい。
【００１８】
この気密部材は、ゴムや軟質合成樹脂等による軟質材料で形成されているものでもよく、硬質合成樹脂等の硬質材料で形成されているものでもよく、これらの複合材料からなるものでもよい。
【００１９】
また、以上のように閉じられたときにおける開き戸に接触する気密部材を前記枠部材の第２面に設ける場合には、この気密部材を、閉じ位置から開き始めた後の開き戸と非接触となるとともに、開き限界角度に達する前の開き戸に再接触するものとしてもよい。
【００２０】
このようにすると、開き限界角度に達する前の開き戸が気密部材に再接触するため、この再接触で開き戸の開き速度にブレーキがかかることになり、開き限界角度まで高速で開き戸が開くのを防止できる。
【００２１】
このように開き戸が気密部材に再接触する開き戸の開き角度は、開き限界角度等との関係に基づき任意に設定できるが、その一例は、開き戸の閉じ位置から略９０度とすることである。
【００２２】
これによると、前記開口部を人が通る等するために必要な略９０度の角度まで開き戸をブレーキをかけずに開き作動させることができ、開き戸装置の使い勝手を良好とすることができる。
【００２３】
以上の本発明に係る開き戸装置において、開き戸の前記回動中心部は、前記外枠組みを形成するために前記枠部材と角度をなして配置される上枠、下枠等の枠部材に設けられた軸によるものでもよく、また、開き戸の前記端面と対向する前記枠部材に取り付けたブラケットの先端のピンによるものでもよく、開き戸装置の構造、用途等に応じて任意に決めることができる。
【００２４】
また、本発明に係る開き戸装置は、建物の外壁に設置される玄関ドアや勝手口ドア等の室外ドアにも適用でき、また、居室同士や居室と収納室、さらには居室と廊下を仕切る仕切り壁等の室内壁に設置される室内ドアにも適用できる。
【００２５】
また、開き戸及び外枠組みは金属製でもよく、木製でもよく、合成樹脂製でもよく、これらの複合材料からなるものでもよい。
【００２６】
さらに、開き戸の開閉するための回動方向は左右方向でもよく、上下方向でもよく、水平方向、垂直方向に対して傾斜した方向でもよい。
【００２７】
また、本発明は、開き戸の個数が１個の開き戸装置は勿論のこと、観音開きすする２個の開き戸を備えた開き戸装置にも適用できる。
【００２８】
【発明の実施の形態】
以下に本発明の一実施形態を図面に基づいて説明する。図１は、本実施形態に係る開き戸装置１の全体を示す正面図で、この開き戸装置１は、集合住宅用玄関ドアのためのものである。
【００２９】
開き戸装置１は、外枠組み２と、この外枠組み２の内側に形成された出入口としての開口部３と、この開口部３に開閉自在に配置された開き戸４とからなる。外枠組み２は、上枠５と、下枠６と、左右の縦枠７，８とからなる。上枠５と下枠６には、開き戸４における左右のうちの右側の端部の近くの上下部に挿入された回動中心軸９が設けられ、把持部材１０を握って開き戸４を開閉操作すると、開き戸４はこの回動中心軸９を中心に回動する。
【００３０】
図２は、一部を破断して示した図１のＳ２−Ｓ２線断面図である。左側の縦枠７における室外側表面７Ａから室内側表面７Ｂまでの間は、階段状に連続形成されている第１面７Ｃ、第２面７Ｄ、第３面７Ｅ、第４面７Ｆ、第５面７Ｇとなっており、これらの面のうち、互いに隣接する面同士は直角又は略直角をなしている。また、閉じられているときの開き戸４の閉じ側の表面４Ａ（室内側の表面）と平行又は略平行になって対面する第４面７Ｆには凹部１１が形成されている。この凹部１１には気密部材１２が配置され、この気密部材１２は、凹部１１に収納された本体部１２Ａと、本体部１２Ａから板状に延びるリップ部１２Ｂとからなる。
【００３１】
また、右側の縦枠８、すなわち、開き戸４における回動中心軸９側の端面４Ｂと対向する縦枠８における室外側表面８Ａから室内側表面８Ｂとの間も、階段状に連続形成された第１面８Ｃ、第２面８Ｄ、第３面８Ｅとなっており、これらの面のうち、互いに隣接する面同士も直角又は略直角をなしている。また、閉じられているときの開き戸４の閉じ側の表面４Ａと平行又は略平行になって対面する第２面８Ｄには凹部１３が形成されている。この凹部１３にも気密部材１４が配置され、この気密部材１４は、凹部１３に収納された本体部１４Ａと、本体部１４Ａから板状に延びるリップ部１４Ｂとからなる。
【００３２】
気密部材１２，１４は可撓性を有する軟質合成樹脂で形成されているとともに、開き戸４の全高に亘る長さを有しており、開き戸４が閉じられているときに、それぞれの気密部材１２，１４のリップ部１２Ｂ、１４Ｂは、図２で示されているように、開き戸４に接触する。また、図１で示した上枠５と下枠６にも、閉じられているときの開き戸４に接触する気密部材が配置されており、このため、開き戸４が開閉自在に配置された前記開口部３が開き戸４で閉鎖されたとき、この開口部３の気密性が開き戸４とそれぞれの気密部材とで確保されるようになっている。
【００３３】
図２で示されているとおり、開き戸４の回動中心軸９は開き戸４の厚さ方向中心部Ｏ２から開き戸４の開き側の表面４Ｃに近づいた位置に配置されており、このため、開き戸４における前記端面４Ｂの近傍の開き戸内側に存在する開き戸回動中心部Ｏ１は、厚さ方向中央部Ｏ２から表面４Ｃ側に偏芯している。
【００３４】
また、開き戸４の回動中心部Ｏ１側の端面４Ｂは、開き側の表面４Ｃと直角又は略直角をなしており、開き戸４が閉じているときにおけるこの端面４Ｂは、縦枠８の第１面８Ｃと平行又は略平行になって対面している。開き戸４はこのように構成されているので、開き戸４の製作が容易となり、また、端面４Ｂと縦枠８の第１面８Ｃとの間の気密性を良好とすることができる。
【００３５】
また、開き戸１の端面４Ｂは閉じ側の表面４Ａとも直角又は略直角をなしており、開き戸４には、この端面４Ｂと閉じ側の表面４Ａとに跨る切欠部１５が形成され、縦枠８における第１面８Ｃと第２面８Ｄとの直角又は略直角をなす交差部に対向しているこの切欠部１５は、端面４Ｂと表面４Ａとの間を直線的又は略直線的に延びるものになっているとともに、開き戸４の全高に亘るものとなっている。開き戸４が閉じているとき、前記気密部材１４のリップ部１４Ｂは、図２で示されているように、表面４Ａと切欠部１５とに接触している。
【００３６】
図３のＡ，Ｂ，Ｃは、開き戸４が回動中心部Ｏ１を中心に図２の閉じ位置から開き始めたときの各位置をその順序で示したものである。Ａは、開き戸４が閉じ位置から少し開いた位置に達したときであり、このときには、開き戸４は気密部材１４のリップ部１４Ｂから離れている。Ｂは、開き戸４が略９０度の開き角度に達したときであり、このときには、図２で示している開き戸４の端面４Ｂにおける開き側の角部４Ｄ（開き戸４における回動中心部Ｏ１側の端面４Ｂと開き側の表面４Ｃとの交差部）が、気密部材１４のリップ部１４Ｂに接触している。すなわち、開き戸４は気密部材１４に再接触している。Ｃは、開き戸４が開き限界角度に近づいたときであり、このときの開き戸４は気密部材１４から離れている。
【００３７】
図２のＤは、開き戸４の上記角部４Ｄが回動中心部Ｏ１を中心に回動したときに描く円弧である。前記切欠部１５の全体は、この円弧Ｄの内側に配置されて形成されている。
【００３８】
以上の本実施形態によると、開き戸４の回動中心部Ｏ１は、開き戸４の厚さ方向中央部Ｏ２から開き側の表面４Ｃへ偏芯しているため、図８で示した従来例よりも図７で示した従来例に近い構造となり、回動中心部Ｏ１の偏芯量分だけ、開き戸４の開き角度を大きくできる。
【００３９】
また、開き戸４の回動中心部Ｏ１は、開き戸４の厚さ方向中央部Ｏ２から開き側の表面４Ｃへ偏芯しているため、開き戸４の回動中心部の位置を厚さ方向中央部Ｏ２とした場合よりも、回動中心部から角部４Ｄまでの距離を短くできる。このため、開き戸４の回動中心部の位置を厚さ方向中央部Ｏ２としたときよりも円弧Ｄの半径は小さくなり、この結果、縦枠８の第１面８Ｃを開き戸４側へ近づけても、開き戸４が回動中心部Ｏ１を中心に回動したときに角部４Ｄが第１面８Ｃと干渉しない。これにより、開き戸４の端面４Ｂと縦枠８の第１面８Ｃとの間隔を小さくでき、図８で示した突枠８６のような加工、製作が面倒な指詰め防止用の部材を外枠組み２に設ける必要がないため、外枠組み２の加工、製作を容易化できる。
【００４０】
さらに、開き戸４には、端面４Ｂと閉じ側の表面４Ａとに跨る切欠部１５が形成されているため、開き戸４が回動中心部Ｏ１を中心に回動したときに、開き戸４が縦枠８の第２面８Ｄと干渉することはなく、開き戸４の所定の開き角度を確保できる。
【００４１】
特に、この切欠部１５の全体は、開き戸４の角部４Ｄが回動中心部Ｏ１を中心に回動したときに描く円弧Ｄの内側に位置しているため、切欠部１５の全体又は一部が円弧Ｄの外側に位置している場合よりも、縦枠８の第２面８Ｄを開き戸４に近づけることができる。この結果、この第２面８Ｄと開き戸４の閉じ側の表面４Ａとの間の指詰め防止のための部材を外枠組み２に設ける必要もなくなり、一層外枠組み２の加工、製作を容易化できる。
【００４２】
また、縦枠８の第２面８Ｄに配置された気密部材１４は、本体部１４Ａから板状に延びるリップ部１４Ｂを有するもので、開き戸４に接触するこのリップ部１４Ｂは本体部１４Ａとの接続部である基端部を中心に揺動自在となっているため、この揺動により、リップ部１４Ｂは閉じられたときの開き戸４に良好に接触し、前記開口部３の気密性を高度に維持できる。
【００４３】
また、閉じ位置にあった開き戸４が開き始めると、リップ部１４Ｂは開き戸４と非接触となるが、図３で示したように、開き戸４が開き限界角度に達する前にリップ部１４Ｂは開き戸４に再接触するため、この再接触によるブレーキ作用により、開き限界角度に達する前に開き戸４の開き速度を低下させることができ、高速で開き戸４が開き限界角度まで到達するのを防止できる。
【００４４】
さらに、リップ部１４Ｂが開き戸４に再接触するのは、開き戸４が閉じ位置から略９０度の開き角度になったときであり、この略９０度の開き角度は、開き戸４で開閉される前記開口部３を人が通るなどするのに必要かつ適正な角度であって、この角度までは開き戸４を円滑に開き作動させることができるため、本実施形態に係る開き戸装置１の使い勝手を良好とすることができる。
【００４５】
図４〜図６は、開き戸４の厚さ方向中央部Ｏ２から開き側の表面４Ｃ側へと偏芯して設けられた回動中心部Ｏ１を、開き戸４の角部４Ｅを通る二等分線Ｅに対して各種の位置に配置した場合を示している。これらの図において、開き戸４、縦枠８の形状、構造は図２、図３で説明したものと同じである。角部４Ｅは、切欠部１５が形成されていないとしたときの開き戸４における端面４Ｂの閉じ側の角部であり、二等分線Ｅは、開き戸４の端面４Ｂと閉じ側の表面４Ａとに対してそれぞれ４５度又は略４５度の角度をなす線である。図４〜図６では、図２、図３で示した気密部材１４は省略している。
【００４６】
図４は、回動中心部Ｏ１が二等分線Ｅの上に配置されている場合である。図５は、回動中心部Ｏ１が二等分線Ｅよりも開き側の表面４Ｃに近い位置に配置されている場合である。図６は、回動中心部Ｏ１が二等分線Ｅよりも閉じ側の表面４Ａに近い位置に配置されている場合である。
【００４７】
開き戸４の角部４Ｄが回動中心部Ｏ１を中心に描く円弧Ｄから分かるように、図４の場合には、開き戸４の端面４Ｂから縦枠８の第１面８Ｃまでの距離を、開き戸４の閉じ側の表面４Ａから縦枠８の第２面８Ｄまでの距離と同じ又は略同じにでき、また、図５の場合には、開き戸４の閉じ側の表面４Ａから縦枠８の第２面８Ｄまでの距離を、開き戸４の端面４Ｂから縦枠８の第１面８Ｃまでの距離よりも小さくでき、さらに、図６の場合には、開き戸４の端面４Ｂから縦枠８の第１面８Ｃまでの距離を、開き戸４の閉じ側の表面４Ａから縦枠８の第２面８Ｄまでの距離よりも小さくできる。
【００４８】
このようなことから、本発明を各種の開き戸装置に適用する場合には、開き戸４の端面４Ｂから縦枠８の第１面８Ｃまでの距離と、開き戸４の閉じ側の表面４Ａから縦枠８の第２面８Ｄまでの距離との、それぞれの開き戸装置で異なる好ましい関係に基づいて、回動中心部Ｏ１の位置を設定すればよい。
【００４９】
図５によると、開き戸４の閉じ側の表面４Ａから縦枠８の第２面８Ｄまでの距離を、開き戸４の端面４Ｂから縦枠８の第１面８Ｃまでの距離よりも小さくできるため、開き戸４を閉じたときの気密性を確保するためには図５を採用することが好ましく、開き戸４の閉じ側の表面４Ａから縦枠８の第２面８Ｄまでの距離を前記気密部材１４のリップ部１４Ｂの厚さと同じ又はこれよりも少し小さくすることにより、開き戸４を閉じたときにこのリップ部１４Ｂで前記外枠組み２の開口部３を高度の気密性をもって塞ぐことができるようになる。また、この図５によると、回動中心部Ｏ１の位置を、開き戸４の回動時において開き戸４の角部４Ｄが縦枠８の第２面８Ｄと干渉しない位置に設定することにより、角部４Ｄは自ずと縦枠８の第１面８Ｃにも干渉しなくなり、このため、回動中心部Ｏ１の位置設定を容易に行えるようになる。
【００５０】
なお、図６は、縦枠８の第１面８Ｃと第２面８Ｄとが交差する角部８Ｆを通って第１面８Ｃと第２面８Ｄのそれぞれとなす角度が等しい又は略等しい二等分線Ｆの上に回動中心部Ｏ１が存在する場合でもある。この場合に、回動中心部Ｏ１からそれぞれ延びて第１面８Ｃ、第２面８Ｄに対し直角をなす線分Ｇ，Ｈを考え、これらの線分Ｇ，Ｈが第１面８Ｃ、第２面８Ｄと交差する箇所を８Ｇ、８Ｈとする。そして、回動中心部Ｏ１から箇所８Ｇまでの距離及び回動中心部Ｏ１から箇所８Ｈまでの距離を、回動中心部Ｏ１から角部４Ｄまでの距離（円弧Ｄの半径）よりもやや大きい程度とし、これにより、開き戸４を全体的に縦枠８の角部８Ｆに近づけるようにすることが好ましい。
【００５１】
これによると、回動中心部Ｏ１を中心に開き戸４を回動させたとき、開き戸４における端面４Ｂとは反対側の端面が描く円弧が縦枠８の角部８Ｆに近づいた円弧となり、このため、開き戸４を開き側（開き戸装置が集合住宅の外部廊下と室内との間の玄関ドアである場合には、外部廊下側）へ大きく突出させることなく開くことができるようになる。図６は、縦枠８の第１面８Ｃと第２面８Ｄとがなす角度が９０度になっている場合であるが、この角度が鈍角又は鋭角になっている場合でも同じである。
【００５２】
【発明の効果】
本発明によると、開き戸の回動中心部を開き戸から突出した位置に設けることなく開き戸の大きな開き角度を確保でき、また、外枠組みの加工、製作を容易化できるという効果を得られる。
【図面の簡単な説明】
【図１】本発明の一実施形態に係る開き戸装置の全体を示す正面図である。
【図２】一部を破断して示した図１のＳ２−Ｓ２線断面図である。
【図３】開き戸が閉じ位置から開き始めたときの各位置を示した平断面図である。
【図４】開き戸の回動中心部を各種の位置に設けた場合における第１番目の場合を示す概略平面図である。
【図５】同第２番目の場合を示す概略平面図である。
【図６】同第３番目の場合を示す概略平面図である。
【図７】第１の従来例の開き戸装置を示す開き戸回動中心部周辺の平断面図である。
【図８】第２の従来例の開き戸装置を示す開き戸回動中心部周辺の平断面図である。
【符号の説明】
１  開き戸装置
２  外枠組み
３  開口部
４  開き戸
４Ａ  開き戸の閉じ側の表面
４Ｂ  開き戸の回動中心部側の端面
４Ｃ  開き戸の開き側の表面
４Ｄ  開き戸の角部
８  外枠組みの枠部材である縦枠
８Ｃ  縦枠の第１面
８Ｄ  縦枠の第２面
９  の回動中心軸
１３  凹部
１４  気密部材
１４Ａ  気密部材の本体部
１４Ｂ  気密部材のリップ部
１５  切欠部
Ｏ１  開き戸の回動中心部
Ｏ２  開き戸の厚さ方向中央部
Ｄ  開き戸の角部が描く円弧
【図１】
0004342694.tif 000002
【図２】
0004342694.tif 000003
【図３】
0004342694.tif 000004
【図４】
0004342694.tif 000005
【図５】
0004342694.tif 000006
【図６】
0004342694.tif 000007
【図７】
0004342694.tif 000008
【図８】
0004342694.tif 000009